(57)【特許請求の範囲】
【請求項１】
ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有し、さらに装置管理上必要な管理レポートを記録出力するレポート出力機能を有する複合ファクシミリ装置において、
現在実行中の装置動作に割込みをかける割込み指令を入力することが可能な割込み指令入力手段と、
メモリ受信原稿および管理レポートを所定時期に自動的に出力させるよう記録動作を制御する制御手段と、
前記割込み指令入力手段に入力された割込み指令が解除されたことを検出する割込み指令解除検出手段と、備え、
前記制御手段が、割込み指令入力手段に割込み指令が入力されたときから割込み指令解除検出手段により割込み指令の解除が検出されるまで、メモリ原稿および管理レポートの出力を常に禁止することを特徴とする複合ファクシミリ装置。
【請求項２】
ファクシミリ通信機能を有するとともに、コピー機能を有する複合ファクシミリ装置において、
現在実行中の動作に割込みをかける割込み指令を入力することが可能な割込み指令入力手段と、
現在実行中の動作の種類を検出する動作検出手段と、
実行可能な装置動作の中から、割込みをかけることが可能な動作範囲を設定する割込み範囲設定手段と、
該割込み範囲設定手段により設定された動作を実行中に割込み指令が入力されたときにのみ、該割込み指令に対応した割込み動作を許容する割込み許容手段と、
割込み範囲設定手段により設定された動作範囲を変更する割込み範囲変更手段と、を設けたことを特徴とする複合ファクシミリ装置。
【請求項３】
受信画情報を記録出力前に記憶して少なくとも受信終了まで保持するメモリ受信、並びに相手側ファクシミリ装置からの画情報を受信しながら受信画情報を記録出力する即時受信が可能なファクシミリ送信機能と、読み取り部によって読み取った原稿の画情報を記録出力するコピー機能と、を備えた複合ファクシミリ装置において、
ファクシミリ受信画情報の出力時およびコピー出力時の両方の記録動作に使用される記録出力手段と、
現在実行中の装置動作に割込みをかける割込み手段と、
該割込み手段の出力信号に基づき、メモリ受信中の画情報の出力または即時受信中の画情報の出力を一旦中断してメモリに蓄積させるように制御する制御手段と、
割込みによって受信動作が中断したときに中断後のファイルを記憶する記憶手段と、
記録出力手段が開放されたことが検出されたときに、記録出力手段を制御してコピー出力動作を開始するコピー出力開始手段と、
該コピー出力開始手段によるコピー出力動作が終了したことを監視するコピー終了監視手段と、
該コピー終了監視手段の出力信号に基づき、コピー出力動作が終了して記録出力手段の使用が可能になったときに、前記割込み直後に中断したファイルの画情報で、かつ記録出力手段の空きを待っているファイルを記憶手段の中から検索するファイル検索手段と、
該検索手段の検索結果に基づき、割込み直後に中断したファイルの画情報をメモリから読み出して最初に出力する実行手段と、を備えたことを特徴とする複合ファクシミリ装置。
【請求項４】
前記実行手段によって出力されたファイルの先頭頁の数ラインを読み取る読み取り手段と、
該読み取り手段によって読み取ったラインの一部に任意のデータを挿入するデータ挿入手段と、
を備え、前記記録出力手段がデータ挿入手段の出力情報に基づいて実行手段によって出力された先頭頁の一部にマークを印字するようにしたことを特徴とする請求項３記載の複合ファクシミリ装置。
【請求項５】
メモリ受信した画情報の頁数を１頁毎にカウントするカウント手段を有し、
前記実行手段は、割込みが終了したときに、該カウント手段のカウントを１に設定し、メモリに蓄積された受信画情報を１頁目から再出力することを特徴とする請求項３記載の複合ファクシミリ装置。
【請求項６】
前記ファクシミリ通信機能として原稿の画情報を読み取りながら送信する即時送信機能が追加された複合ファクシミリ装置において、
割込みによって即時送信動作が中断されたファイル情報を記憶する第１記憶手段と、
読み取り部を構成する装置が開放されたことが検出されたときに、読み取り部を制御してコピー出力動作を開始する第１コピー出力開始手段と、
該第１コピー出力開始手段によるコピー出力動作が終了したことを監視する第１コピー終了監視手段と、
割込みが解除され、即時送信動作が中断されたファイルの残りの原稿をセットしたとき、該送信ファイルの情報を第１記憶手段から第１読み出す読み出し手段と、
該第１読み出し手段によって読み出されたファイル情報でセットされた原稿を、先に即時送信された画情報に引続いて即時送信するよう制御する送信手段と、を備えたこと特徴とする請求項３記載の複合ファクシミリ装置。
【請求項７】
前記ファクシミリ通信機能として原稿の画情報を読み取りながらメモリに記憶し、少なくとも送信終了まで保持するメモリ送信機能が追加された複合ファクシミリ装置において、
割込みによってメモリ蓄積が中断されたファイル情報を記憶する第２記憶手段と、
割込みによってメモリ蓄積動作が中断されたファイル情報を記憶する第２記憶手段と、
読み取り部を構成する装置が開放されたことが検出されたときに、読み取り部を制御してコピー出力動作を開始する第２コピー出力開始手段と、
該第２コピー出力開始手段によるコピー出力動作が終了したことを監視する第２コピー終了監視手段と、
割込みが解除され、メモリ蓄積動作が中断されたファイルの残りの原稿をセットしたとき、該ファイルの情報を第２記憶手段から読み出す第２読み出し手段と、
該第２読み出し手段によって読み出されたファイル情報に基づいてセットされた原稿を先に蓄積された画情報に引続いてメモリに蓄積する蓄積手段と、を備えたことを特徴とする請求項３記載の複合ファクシミリ装置。
【請求項８】
送受信画情報を記録出力前あるいは送信前に記憶して少なくとも送信終了あるいは受信終了まで保持するメモリ送受信、並びに相手側ファクシミリ装置からの画情報を受信しながら受信原稿を記録出力する即時受信および原稿の画情報を読み取りながら送信する即時送信を行なうファクシミリ送信機能と、読み取り部によって読み取った原稿の画情報を記録出力するコピー機能と、ホストコンピュータからの信号に基づいて駆動するプリンタ機能と、を有する複合ファクシミリ装置において、
上記各機能の少なくとも１つ以上を実行するのを禁止するよう各機能を実行する装置の使用を禁止する実行禁止設定手段と、
上記各機能の何れか１つを実行するように指示信号が入力されたとき該機能に対応する装置の監視を行なう監視手段と、
該監視手段の出力信号および実行禁止設定手段の出力信号に基づき、監視手段によって監視された装置が使用可能か否かを判別する判別手段と、を備えたことを特徴とする複合ファクシミリ装置。
【請求項９】
前記実行禁止設定手段によって設定された内容を読み出す手段と、
該読み出し手段によって読み出された内容を表示する表示手段と、を備えたことを特徴とする請求項８記載の複合ファクシミリ装置。
【請求項１０】
前記実行禁止設定手段によって禁止された状態にある機能を監視する監視手段と、
該監視手段の出力信号に基づき、実行可能な機能の実行されたことおよび該実行が終了したことを監視する実行・終了監視手段と、
該実行・終了監視手段からの出力信号に基づき、実行可能な機能の実行が終了されたときに前記実行禁止手段の設定を解除する解除手段と、を備えたことを特徴とする請求項８記載の複合ファクシミリ装置。
【請求項１１】
前記実行禁止設定手段によって禁止された状態にある機能を監視する監視手段と、
該監視手段の出力信号に基づき、実行可能な機能が実行されたか否かを監視する実行監視手段と、
該実行監視手段の出力信号に基づき実行可能な機能が実行されない時間を計測する計測手段と、
該計測手段の計測情報に基づき、一定時間経過後に実行禁止設定手段の設定を解除するオーバータイム解除手段と、
を備えたことを特徴とする請求項８記載の複合ファクシミリ装置。
【請求項１２】
特定の曜日および時間帯に応じて実行禁止設定手段を作動させる第１作動手段と、
特定の曜日および時間帯に応じて該禁止設定手段によって設定された機能以外の機能を作動させる第２作動手段と、
特定の曜日および時間帯になると、第１作動手段および第２作動手段をその特定の曜日および時間帯に応じて切換作動させる制御手段と、を備えたことを特徴とする請求項１１記載の複合ファクシミリ装置。
【発明の詳細な説明】
【０００１】
【産業上の利用分野】
本発明は、複合ファクシミリ装置に関し、ファクシミリ機能に加えて、コピー機能を有する複合ファクシミリ装置に関するものである。
【０００２】
【従来の技術】
従来のファクシミリ装置において、現在実行中の動作に割込みをかけて、別の動作を実行させることを可能にしたものが知られている。このようなファクシミリ装置としては、例えば、ファクシミリ送信動作中に割込みがかけられると、動作中のファクシミリ送信を中断して割込みモードに指定された宛先に改めて送信するようにした特開平４−１３３６８号公報、ファクシミリ受信原稿のメモリ入力をメモリ送信よりも優先させるようにした特開平４−８０５６号公報、操作部の割込み／予約キーを用いて動作条件の入力を可能にして、画像処理等の操作性を向上させるようにした特開平２−２３５０７６号公報、新たな別の指令を行なう割込み指令の入力があったときにはその処理を優先させ、終了と同時に要求前の処理に復帰できるようにした特開平１−２９２９６６号公報記載のものが知られている。
【０００３】
また、この他に、以下に示すような割込み処理を行なう装置がある。
(1)既にメモリに記憶されている画情報に対して複数の宛先が指定されている場合、次の送信原稿の割込みに対して、ある宛先への送信が終了した時点でこの送信を一旦中断し、割込み原稿を受け付け、通信の優先順位に従い、送信処理を再開するというもの(特開平４−１３４９６５号公報参照)。
(2)操作部に設けられたモード設定スイッチにより送信優先モードを設定し、いかなるタイミングで受信があっても自動受信の禁止と送信操作データの保持を実行させて、送信操作と送信動作を優先させるようにしたもの(特開平２−６５５５９号公報参照）。
(3)ファクシミリ装置に割込みモードと保留モードを持たせることにより、待ち時間等の時間の無駄をなくし、緊急を要する原稿等を優先的に送るようにしたもの(特開昭６２−２０９９７２号公報参照）。
(4)搬送モード選択手段によって割込みモード、待機モード、拒否モードの何れかを自由に選択することにより、複写機によるコピーの処理を急がない場合に割込みモードに設定することによりプリンタの処理を優先させるようにしたもの(特開平４−２７６７６７号公報参照)。
(5)プリンタ機能と複写機能を備えた複合機において、単独モードの実行中に複合モード(プリンターで作成された原稿を複写機の原稿第上に搬送して複写する機能)が指定された場合に、単独モードの処理が終了するまで複合モードの実行を遅延するようにしたもの(特開平４ー３３５６６１号公報参照)。
【０００４】
一方、割込み処理が終了された後、中断されていた送受信画情報等の処理を再実行する方法としては以下に示すようなものが知られている。
(6)優先プリント指示手段がＯＮにされ、送信の操作が行なわれると、送受信するファクシミリ装置間で優先プリントによる送受信が可能か否かの打ち合せがプロトコルで行なわれる。この打ち合せにより優先プリントによる送受信が可能と判断されたときには、ファクシミリ装置のプリンタ制御部が、受信した画情報を先に受信した画情報よりも先に記録出力するようにしたもの(特開平４−３１５３６８号公報参照)。
(7)メモリ送信の間に原稿の入力割込みがあった場合には、メモリ送信を中断し、メモリ入力を実行するとともに回線の受信状態を保持するため、例えば画像(白地を含む）とならないダミーデータを送信することにより、メモリ入力を行なう際メモリ送信を意識することなく行なうようにしたもの(特開平４−８０５６号公報参照)。
(8)送信原稿の宛先を示すデータを記憶し、送信中に割込みが行なわれたときに送信中の原稿の送信を中断して優先送信原稿を送信し、該優先送信原稿の送信後に送信中断原稿の残部を送信する際に記憶手段からこの原稿の宛先情報を読み出してこれを回線に送り出すようにしたもの(特開昭６２−２８１５６９号公報参照)。
【０００５】
【発明が解決しようとする課題】
しかしながら、これら従来の複合ファクシミリ装置にあっては、ファクシミリ送受信が優先されるため、コピー専用機に比べて利用範囲が限定され、使用上、不具合があった。つまり情報の読み取り、書込み、通信の各手段が１つしかないため、いくつかの動作を同時に行なおうとする時に操作性が劣っていた。例えば、ユーザが、ファクシミリ受信中にコピー動作を行なおうとしても受信の終了を待つか、強制的に受信を一度中止させなければならなかった。また、メモリ原稿や管理レポートの出力中はコピーをとることができないという不具合もあった。さらに、コピー動作中にファクシミリ受信やメモリ原稿自動出力、管理レポートの自動出力があった場合にはコピー動作が中断されるといった不具合もあった。
【０００６】
また、上述した(1)〜(3)に記載された発明にあっては、ファクシミリ通信における割込み処理であり、また(4)(5)に記載された発明にあっては、複写機能とプリンタ機能のみを有する複合機における割込み処理であるため、近時の複合ファクシミリ装置での割込み処理には適用することはできない。
すなわち、近時の複合ファクシミリ装置にあっては、ファクシミリ通信機能に加えてコピー機能の単体のコピー機並みに向上し、しかもプリンター機能を付加されている。
【０００７】
ところが、複合機といっても、読み取り系、書込み系、通信系の資源(装置)は１つしか存在せず、いくつかの動作を同時に行なわせたい場合や、異なるファイル間の資源の競合は発生してしまう。
具体的には、複数の代行受信ファイルが存在し、そのファイルを出力中にプリンターとして複合ファクシミリ装置を使用したい場合は、全ての代行受信ファイルの出力が終了して始めて書込み系の資源の利用が可能になり、プリンターとしての利用が可能になる。
【０００８】
したがって、プリンターとしてすぐに利用したいのにも関わらず、全ての代行受信ファイルの出力を待たなければならない。また、複合ファクシミリ装置をコピー機と受信専用機として専用したい場合に対しても、利用者がその用に注意して利用し、ファクシミリ装置をそのように設定することはできなかった。
なお、特開平４−１５９８４８号公報において、各機能毎の使用回数を計数し、この計数値に基づいて判定された各機能の使用頻度が最も高い機能を検出し、この機能を実行できるように初期モードを設定するものが記載されているが、このものはユーザが最も利用し易い初期モードを自動的に設定することを意図したものであり、複合ファクシミリの割込み処理を向上させることを意図していない。
【０００９】
また、上記(6)に記載の発明にあっては、途中中断されたファイルの画情報を受信しているものであるが、ファクシミリ受信中の割込み時に優先するファクシミリ受信を行なうだけであり、複合ファクシミリ装置に適用することはできない。また、割込みにより即時受信中の画情報出力または代行受信中の画情報出力を中断した場合に、次の再出力ファイルがどのファイルから出力して良いのを判断する手段がないため、以下のような問題が発生してしまった。
【００１０】
すなわち、例えば、５頁の代行受信ファイルＡと７頁の代行受信ファイルＢの２種類のファイルが存在し、ファイルＡが３頁出力中に割込みが発生した場合を考える。この場合割込み動作(例えば、コピー)が終了し、書込み系の資源が開放されたならば代行受信ファイルの出力を行なう。
ファイルＡは一度出力を開始した後で次のファイルＢから出力を開始する。この場合先に出力されたファイルＡの３頁の上にファイルＢの７頁がさらにその上にファイルＡの残りの２頁が出力されてしまうことになり、割込みによってファイルの順序性がなくなってしまう。
【００１１】
また、上記(7)(8)に記載の発明にあっても、途中中断されたファイルの画情報を送信しているものであるが、ファクシミリ送信中の割込み時に優先するファクシミリ送信を行なうだけであり、複合ファクシミリ装置に適用することはできない。
そこで、本発明は、即時受信時にコピーをするために割込みをかけたとき、ファクシミリ受信動作を中断させることなく、コピー動作を即座に実行することができるようにして、操作性を向上することを目的としている。
【００１２】
本発明は、メモリ受信原稿出力時および管理レポート出力時にコピーをするために割込みをかけたとき、コピー動作を即座に実行することができるようにして、複合ファクシミリ装置の操作性を向上することを目的としている。
本発明は、割込み動作中の着呼は全てメモリー受信に設定することにより、割込み中であってもファクシミリ受信を可能にして、操作性を向上することを目的としている。
【００１３】
本発明は、割込み中には、メモリー原稿または管理レポートの自動出力を禁止することにより、割込み動作の中断を防止して、操作性を向上することを目的としている。
本発明は、割込みをかけることができる動作範囲を変更可能にして、ユーザの希望通りに操作性を向上することを目的としている。
【００１４】
本発明は、割込みによって中断されたファイルを装置が開放されたときに最初に出力することにより、ファイルの順序性を保つことができる使用性の高い複合ファクシミリ装置を提供することを目的としている。
本発明は、割込み処理の終了後に再出力されたファイルの先頭頁の一部にマークを印字することにより、割込みによって中断されたファイルであることを容易に認知できるようにして、記録出力されたコピー紙等の他のファイルとの区別をつけることができるとともに先に出力された頁と関連をつけることができ、ファイルの欠落を防止することができる複合ファクシミリ装置を提供することを目的としている。
【００１５】
本発明は、割込みによって途中で中断された出力ファイルの再出力を常に頁の先頭から行なうことにより、ファイルの順序性を確実に保持できるとともにファイルが欠落するのを完全に防止することができる複合ファクシミリ装置を提供することを目的としている。
本発明は、割込み処理が終了したときに、割込みによって途中で中断されたファイル情報に基づいて即時送信を再開することにより、即時送信時の割込みとその復帰を容易に行なうことができ、即時送信時の操作性を向上させることができる複合ファクシミリ装置を提供することを目的としている。
【００１６】
本発明は、割込み処理が終了したときに、割込みによって途中で中断されたファイル情報に基づいて画情報の蓄積を再開することにより、画情報の蓄積時の割込みとその復帰を容易に行なうことができ、メモリ送信時の操作性を向上させることができる複合ファクシミリ装置を提供することを目的としている。
【００１７】
本発明は、ファクシミリ通信機能、コピー機能およびプリンター機能の少なくとも１つ以上を実行するのを禁止するよう各機能を実行する装置の使用を禁止することにより、実行させたい機能を使用するファイルに優先的に装置を割当てて実行させ、利用機能を占有することができる複合ファクシミリ装置を提供することを目的としている。
【００１８】
本発明は、実行禁止となっている内容を表示することにより、利用者に送信の状態を通知することができる複合ファクシミリ装置を提供することを目的としている。
本発明は、実行が禁止された機能のファイルが実行されたときに、実行を終了した時点で自動的に実行禁止を解除することにより、実行禁止設定の解除を忘れたときにでも自動的に実行禁止を解除するようにして、無人で作動する自動受信等に対応することができる使用性の高い複合ファクシミリ装置を提供することを目的としている。
【００１９】
本発明は、一定間隔の間に使用可能な機能が何も実行されなければ、自動的に実行禁止設定を解除することにより、実行可能なファイルが実行される毎に実行禁止の再設定を行なうのを不要にして、複数のファイルを連続して実行させることができる高い複合ファクシミリ装置を提供することを目的としている。
【００２０】
本発明は、実行禁止の設定および解除を曜日および時間帯に応じて設定することにより、管理者が不在の場合でも自動的に設定を切り替えることができ、曜日および時間帯に応じて自動的に利用機能を占有することができる複合ファクシミリ装置を提供することを目的としている。
【００２１】
【課題を解決するための手段】
本発明は、上記課題を解決するため、ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有する複合ファクシミリ装置において、ファクシミリ受信出力時およびコピー出力時の両方の記録動作に用いられる記録出力手段と、前記即時受信動作を検出する即時受信検出手段と、現在実行中の装置動作に割込みをかける割込み指令を入力することが可能な割込み指令入力手段と、即時受信動作とメモリ受信動作との切換を制御するとともに、記録出力手段の動作を制御する制御手段と、を備え、前記即時受信動作中に割込み指令が入力された場合、前記制御手段が、即時受信動作からメモリ受信動作に切換え、かつ、記録手段による即時受信出力用の記録動作を停止させて、コピー出力用の記録動作が可能となるように、記録手段を制御することを特徴としている。
【００２２】
本発明は、上記課題を解決するため、ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有し、さらに装置管理上必要な管理レポートを記録出力するレポート出力機能を有する複合ファクシミリ装置において、ファクシミリ受信出力時、コピー出力時および管理レポート出力時の各記録動作に用いられる記録出力手段と、現在実行中の装置動作に割込みをかける割込み指令を入力することが可能な割込み指令入力手段と、記録出力手段の動作を制御する制御手段と、を備え、前記メモリ受信原稿を出力するメモリ原稿出力動作中および管理レポート出力動作中に割込み指令が入力された場合、前記制御手段が、記録手段によるメモリ原稿出力および管理レポート出力用の記録動作を停止させて、コピー出力用の記録動作が可能となるように、記録手段を制御することを特徴としている。
【００２３】
本発明は、上記課題を解決するため、ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有する複合ファクシミリ装置において、現在実行中の装置動作に割込みをかける割込み指令を入力することが可能な割込み指令入力手段と、即時受信動作とメモリ受信動作との切換を制御する制御手段と、前記割込み指令入力手段に入力された割込み指令が解除されたことを検出する割込み指令解除検出手段と、を備え、割込み指令入力手段に割込み指令が入力されたときから割込み指令解除検出手段により割込み指令が解除されるまでに着呼があった場合、前記制御手段が、受信動作を常にメモリ受信動作に設定することを特徴としている。
【００２４】
本発明は、上記課題を解決するため、ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有し、さらに装置管理上必要な管理レポートを記録出力するレポート出力機能を有する複合ファクシミリ装置において、現在実行中の装置動作に割込みをかける割込み指令を入力することが可能な割込み指令入力手段と、メモリ受信原稿および管理レポートを所定時期に自動的に出力させるよう記録動作を制御する制御手段と、前記割込み指令入力手段に入力された割込み指令が解除されたことを検出する割込み指令解除検出手段とを備え、前記制御手段が、割込み指令入力手段に割込み指令が入力されたときから割込み指令解除検出手段により割込み指令が解除されるまで、メモリ原稿および管理レポートの出力を常に禁止することを特徴としている。
【００２５】
本発明は、上記課題を解決するため、ファクシミリ通信機能を有するとともに、コピー機能を有する複合ファクシミリ装置において、現在実行中の装置動作に割込みをかける割込み指令を入力することが可能な割込み指令入力手段と、現在実行中の動作の種類を検出する動作検出手段と、実行可能な装置動作の中から、割込みをかけることが可能な動作範囲を設定する割込み範囲設定手段と、該割込み範囲設定手段により設定された動作を実行中に割込み指令が入力されたときにのみ、該割込み指令に対応した割込み動作を許容する割込み許容手段と、割込み範囲設定手段により設定された動作範囲を変更する割込み範囲変更手段と、を設けたことを特徴としている。
【００２６】
本発明は、上記課題を解決するために、受信画情報を記録出力前に記憶して少なくとも受信終了まで保持するメモリ受信、並びに相手側ファクシミリ装置からの画情報を受信しながら受信画情報を記録出力する即時受信が可能なファクシミリ送信機能と、読み取り部によって読み取った原稿の画情報を記録出力するコピー機能と、を備えた複合ファクシミリ装置において、ファクシミリ受信画情報の出力時およびコピー出力時の両方の記録動作に使用される記録出力手段と、現在実行中の装置動作に割込みをかける割込み手段と、該割込み手段の出力信号に基づき、メモリ受信中の画情報の出力または即時受信中の画情報の出力を一旦中断してメモリに蓄積させるように制御する制御手段と、割込みによって受信動作が中断したときに中断後のファイルを記憶する記憶手段と、記録出力手段が開放されたことが検出されたときに、記録出力手段を制御してコピー出力動作を開始するコピー出力開始手段と、該コピー出力開始手段によるコピー出力動作が終了したことを監視するコピー終了監視手段と、該コピー終了監視手段の出力信号に基づき、コピー出力動作が終了して記録出力手段の使用が可能になったときに、前記割込み直後に中断したファイルの画情報で、かつ記録出力手段の空きを待っているファイルを記憶手段の中から検索するファイル検索手段と、該検索手段の検索結果に基づき、割込み直後に中断したファイルの画情報をメモリから読み出して最初に出力する実行手段と、を備えたことを特徴としている。
【００２７】
本発明は、上記課題を解決するために、【００２６】段落に記載の発明において、前記実行手段によって出力されたファイルの先頭頁の数ラインを読み取る読み取り手段と、該読み取り手段によって読み取ったラインの一部に任意のデータを挿入するデータ挿入手段と、を備え、前記記録出力手段がデータ挿入手段の出力情報に基づいて実行手段によって出力された先頭頁の一部にマークを印字するようにしたことを特徴としている。
【００２８】
本発明は、上記課題を解決するために、【００２６】段落に記載の発明において、メモリ受信した画情報の頁数を１頁毎にカウントするカウント手段を有し、前記実行手段は、割込みが終了したときに、該カウント手段のカウントを１に設定し、メモリに蓄積された受信画情報を１頁目から再出力することを特徴としている。
【００２９】
本発明は、上記課題を解決するために、【００２６】段落に記載の発明におけるファクシミリ通信機能として原稿の画情報を読み取りながら送信する即時送信機能が追加された複合ファクシミリ装置において、割込みによって即時送信動作が中断されたファイル情報を記憶する第１記憶手段と、読み取り部を構成する装置が開放されたことが検出されたときに、読み取り部を制御してコピー出力動作を開始する第１コピー出力開始手段と、該第１コピー出力開始手段によるコピー出力動作が終了したことを監視する第１コピー終了監視手段と、割込みが解除され、即時送信動作が中断されたファイルの残りの原稿をセットしたとき、該送信ファイルの情報を第１記憶手段から第１読み出す読み出し手段と、該第１読み出し手段によって読み出されたファイル情報でセットされた原稿を、先に即時送信された画情報に引続いて即時送信するよう制御する送信手段と、を備えたことを特徴としている。
【００３０】
本発明は、上記課題を解決するために、【００２６】段落に記載の発明におけるファクシミリ通信機能として原稿の画情報を読み取りながらメモリに記憶し、少なくとも送信終了まで保持するメモリ送信機能が追加された複合ファクシミリ装置において、割込みによってメモリ蓄積が中断されたファイル情報を記憶する第２記憶手段と、割込みによってメモリ蓄積動作が中断されたファイル情報を記憶する第２記憶手段と、読み取り部を構成する装置が開放されたことが検出されたときに、読み取り部を制御してコピー出力動作を開始する第２コピー出力開始手段と、該第２コピー出力開始手段によるコピー出力動作が終了したことを監視する第２コピー終了監視手段と、割込みが解除され、メモリ蓄積動作が中断されたファイルの残りの原稿をセットしたとき、該ファイルの情報を第２記憶手段から読み出す第２読み出し手段と、該第２読み出し手段によって読み出されたファイル情報に基づいてセットされた原稿を先に蓄積された画情報に引続いてメモリに蓄積する蓄積手段と、を備えたことを特徴としている。
【００３１】
本発明は、上記課題を解決するために、送受信画情報を記録出力前あるいは送信前に記憶して少なくとも送信終了あるいは受信終了まで保持するメモリ送受信、並びに相手側ファクシミリ装置からの画情報を受信しながら受信原稿を記録出力する即時受信および原稿の画情報を読み取りながら送信する即時送信を行なうファクシミリ送信機能と、読み取り部によって読み取った原稿の画情報を記録出力するコピー機能と、ホストコンピュータからの信号に基づいて駆動するプリンタ機能と、を有する複合ファクシミリ装置において、上記各機能の少なくとも１つ以上を実行するのを禁止するよう各機能を実行する装置の使用を禁止する実行禁止設定手段と、上記各機能の何れか１つを実行するように指示信号が入力されたとき該機能に対応する装置の監視を行なう監視手段と、該監視手段の出力信号および実行禁止設定手段の出力信号に基づき、監視手段によって監視された装置が使用可能か否かを判別する判別手段と、を備えたことを特徴としている。
【００３２】
本発明は、上記課題を解決するために、【００３１】段落に記載の発明において、前記実行禁止設定手段によって設定された内容を読み出す手段と、該読み出し手段によって読み出された内容を表示する表示手段と、を備えたことを特徴としている。
本発明は、上記課題を解決するために、【００３１】段落に記載の発明において、前記実行禁止設定手段によって禁止された状態にある機能を監視する監視手段と、該監視手段の出力信号に基づき、実行可能な機能の実行されたことおよび該実行が終了したことを監視する実行・終了監視手段と、該実行・終了監視手段からの出力信号に基づき、実行可能な機能の実行が終了されたときに前記実行禁止手段の設定を解除する解除手段と、を備えたことを特徴としている。
【００３３】
本発明は、上記課題を解決するために、【００３１】段落に記載の発明において、前記実行禁止設定手段によって禁止された状態にある機能を監視する監視手段と、該監視手段の出力信号に基づき、実行可能な機能が実行されたか否かを監視する実行監視手段と、該実行監視手段の出力信号に基づき実行可能な機能が実行されない時間を計測する計測手段と、該計測手段の計測情報に基づき、一定時間経過後に実行禁止設定手段の設定を解除するオーバータイム解除手段と、を備えたことを特徴としている。
【００３４】
本発明は、上記課題を解決するために、【００３３】段落に記載の発明において、特定の曜日および時間帯に応じて実行禁止設定手段を作動させる第１作動手段と、特定の曜日および時間帯に応じて該禁止設定手段によって設定された機能以外の機能を作動させる第２作動手段と、特定の曜日および時間帯になると、第１作動手段および第２作動手段をその特定の曜日および時間帯に応じて切換作動させる制御手段と、を備えたことを特徴としている。
【００３５】
【作用】
本発明では、即時受信動作中に割込み指令が入力された場合、受信動作モードが即時受信動作からメモリ受信動作に切換えられ、かつ、記録手段による即時受信出力用の記録動作が停止される。したがって、ファクシミリの即時受信中であっても即座にコピー出力用の記録動作が可能になる。
【００３６】
本発明では、メモリ原稿出力動作中および管理レポート出力動作中に割込み指令が入力された場合、記録手段によるメモリ原稿出力および管理レポート出力用の記録動作が停止される。したがってメモリ原稿出力および管理レポート出力中であっても即座にコピー出力用の記録動作が可能になる。
本発明では、割込み指令入力手段に割込み指令が入力されたときから割込み指令解除検出手段により割込み指令が解除されるまでに着呼があった場合、受信動作が常にメモリ受信動作に設定される。したがって、割込み動作中でもファクシミリ受信を受付けることが可能になる。
【００３７】
本発明では、割込み指令入力手段に割込み指令が入力されたときから割込み指令解除検出手段により割込み指令が解除されるまで、メモリ原稿および管理レポートの出力が常に禁止される。したがって、割込み動作がメモリ原稿および管理レポートの自動出力によって中断されるのが防止される。
本発明では、割込み範囲設定手段により設定された動作を実行中に割込み指令が入力されたときにのみ、該割込み指令に対応した割込み動作が許容され、かつ、上記割込み範囲の設定が割込み範囲変更手段により変更可能である。したがって、割込みを許容する動作範囲をユーザが優先度等に応じて任意に設定することが可能になる。
【００３８】
本発明では、割込み処理が終了されて装置が開放されたときに、割込みによって中断されたファイルが検索されて最初に出力されるようになっている。したがって、例えば、Ａファイル５頁およびＢファイル７頁の代行受信中にＡファイルの３頁目が記録出力された状態でコピー等の割込み処理が行なわれ、該割込み処理が終了した場合に、既に記録出力されたＡファイルの４頁目から記録出力された後にＢファイルの７頁が出力される。この結果、ファイルの順序性が保たれ、複合ファクシミリ装置の使用性が向上する。
本発明では、割込み処理の終了後に再出力されたファイルの先頭頁の一部にマークが印字される。したがって、割込みによって中断されたファイルであることが容易に認知され、記録出力されたコピー紙等の他のファイルとの区別がつけられるとともに先に出力された頁と関連づけられる。すなわち、割込みによって即時受信中の画情報の出力または代行受信中の画情報の出力が中断された場合、そのファイルが完結されたか否かが分らない。例えば、割込みによるコピー時に出力されたファイルを取りにきた場合、受信ファイルの全頁が出力されていないにも関わらず、ファイルを持ち帰ってしまったり、コピーとの区別がつきにくい場合あるが、割込み処理の終了後に再出力されたファイルの先頭頁の一部にマークを印字することにより、このような不具合が発生することがなく、ファイルの欠落を防止できる。
【００３９】
本発明では、割込みによって途中で中断された出力ファイルの再出力が常に頁の先頭から行なわれる。したがって、ファイルの順序性が確実に保持されるとともにファイルが欠落することがない。
本発明では、割込み処理が終了したときに、割込みによって途中で中断されたファイル情報に基づいて即時送信が再開されるようになっている。したがって、割込みによって即時送信が一旦中断され、コピー等の割込み処理が行なわれた後、再び即時送信を開始するときに相手先電話番号の再入力を行なったり、あるいは新たな発呼になることからＴＴＩに印字される頁数が１頁目からとなって受信側で前の送信に対する続きであることが判断できないような事態が発生することはない。
【００４０】
この結果、即時送信時の割込みとその復帰が容易に行なわれ、即時送信時の操作性が向上する。
本発明では、割込み処理が終了したときに、割込みによって途中で中断されたファイル情報に基づいて画情報の蓄積が再開される。したがって、蓄積時の割込みとその復帰が容易に行なれ、メモリ送信時の操作性が向上する。
【００４１】
本発明では、ファクシミリ通信機能、コピー機能およびプリンター機能の少なくとも１つ以上を実行するのを禁止するよう各機能を実行する装置(資源)の使用が禁止されるようになっている。
したがって、実行させたい機能を使用するファイルに対して優先的に装置が割当てられて実行され、複合ファクシミリ装置の利用機能が制限され、特定ファイルに対しての専用装置となる。この結果、他のファイルの実行が終了するまで待機する必要がなく、直ちにファイルの実行が行なわれ、複合ファクシミリ装置の使用性が向上する。
【００４２】
本発明では、実行禁止となっている内容が表示されるので、利用者に装置の状態が通知され、禁止設定されている装置が作動しない原因を容易に知らせることができる。
本発明では、実行が禁止された機能以外のファイルが実行されたときに、実行を終了した時点で自動的に実行禁止が解除されるようになっている。したがって、実行禁止設定の解除を忘れたときにでも実行したい機能を実行した後に自動的に実行禁止が解除される。このため、例えば、プリンターとして利用するためにプリンター以外のファイルの実行を禁止したまま実行禁止を解除せずに無人で作動する自動受信等が行なわれないような事態が発生しない。この結果、複合ファクシミリ装置の使用性がより一層向上する。
【００４３】
本発明では、一定間隔の間に使用可能な機能が何も実行されなければ、自動的に実行禁止設定が解除されるようになっている。したがって、実行可能なファイルが実行される毎に実行禁止の再設定を行なう必要がなく、一定時間の間に禁止されていないファイルを実行すれば、複数のファイルを連続して実行させることができる。
【００４４】
本発明では、実行禁止の設定および解除が曜日および時間帯に応じて設定される。したがって、休日または就業後に例えば、受信以外での使用を禁止したい場合には、その都度該当する曜日の時間帯に実行禁止の設定を行なう必要がなく、管理者が不在の場合でも自動的に設定が切り替えられ、曜日および時間帯に応じて自動的に利用機能が占有される。
【００４５】
【実施例】
以下、本発明を図面に基づいて説明する。
図１は本発明に係る複合ファクシミリ装置の一実施例を示すブロック図である。
まず、構成を説明する。
【００４６】
図１において、１はＤＣＲ（画情報圧縮／再生装置）、２はＳＡＦ（画情報蓄積メモリ）、３はシステム管理データを格納するシステムメモリー、４はテンキー、スタートキー、割込みキー等の入力部と液晶表示部等を有した操作／表示部、５は文字コードをパターン変換するパターンジェネレータ、６はシステム全体を制御するシステム制御部、７はデータ転送用メモリのラインバッファメモリ、８は送信原稿およびコピー原稿を読み取るスキャナ部、８ａは原稿幅検知センサを備えたＡＤＦ（原稿自動搬送装置）、９は記録紙に印字させるプロッタ部、９ａは記録紙をセットする給紙ユニット、１０はＣＣＵ（通信制御装置）、１０ａはモデム（変調／復調装置）、１０ｂはｉＮＣＵ（ＩＳＤＮ網制御装置）である。
ここで、図１に示される複合ファクシミリ装置が、本発明に係る複合ファクシミリ装置である場合の例について説明する。
【００４７】
本例においては、図１に示される複合ファクシミリ装置は、ファクシミリを受信しながら受信原稿をプロッター部９によって記録出力する即時受信と、受信データを記録出力前にＳＡＦ２により蓄積して少なくとも受信終了まで保持するメモリ受信が可能なファクシミリ通信機能を有し、さらにコピー機能を有している。
【００４８】
プロッタ部９は、記録出力手段を構成し、ファクシミリ受信出力時とコピー出力時の両方の記録動作に用いられる。
システム制御部６は、即時受信検出手段を構成し、即時受信動作を検出するものである。操作／表示部４は、割込み指令入力手段を構成し、現在実行中の装置動作に割込みをかける割込み指令を入力するものである。また、システム制御部６は、制御手段も兼用しており、即時受信動作とメモリ受信動作との切換を制御し、プロッタ部９の動作を制御するものである。そして、即時受信動作中に割込み指令が入力された場合、システム制御部６は、即時受信動作からメモリ受信動作に切換え、かつ、プロッタ部９による即時受信出力用の記録動作を停止させて、コピー出力用の記録動作が可能となるように、プロッタ部９を制御する。
【００４９】
次に、図２〜図９を参照しつつ作用を説明する。なお、図６〜図９中のＳ1 〜Ｓ32はフローチャートの各ステップを表している。
まず、コピーを行うためにオペレータは図６のＳ1 で操作表示部４のコピーキーを押圧する。このとき、Ｓ2 では図２の資源（スキャナ部８、プロッタ部９、ＣＣＵ１０、ＤＣＲ１等）リストをチェックする。この資源リストは各資源を１ビット毎に割り当てられ、１：（資源あり）、０：（資源なし）としてシステムメモリー３に記憶される。コピー動作ではスキャナ部８とプロッタ部９のチェックが行われる。
【００５０】
Ｓ3 では、どの動作で何の資源が必要かがシステムメモリー３にテーブル（表）として記憶されており、そのテーブルの内容は例えば図４のように示される。Ｓ4 で、もし必要とする資源が使用できなければ表示部４にエラーメッセージが出力される（例えば、Ｓ5 「プロッタ使用中です」等）。
次いで、Ｓ6に移り、オペレータは操作部４の割込みキーを押圧する。Ｓ7 で、もし即時受信が動作してプロッタ部９が使用できなければ、即時受信を制御しているファクシミリ制御部６に割込み要求があったことを通知する。
【００５１】
ファクシミリ制御部６は割込み要求を受けたならば、Ｓ11でプロッタ系（プロッタ部９、給紙ユニット９ａ）の動作制御を停止させる。この画情報の流れを図３に示す。すなわち割込みにより受信画情報の流れをラインバッファ７からＳＡＦ２へとファクシミリ制御部がコントロールする。
データの流れを変更したならば、システムメモリー３内の資源リストのプロッタビットを使用可「１」にセットする。これによりＳ12へ移って資源のプロッタ部９は解放され、受信はメモリ受信状態Ｓ13となる。
【００５２】
上述のように本例では、割込みキーにより即時受信をメモリ受信に変更することにより、受信を途中終了することなく、Ｓ３１においてコピー動作が可能となるのでファクシミリ受信が完了するまで待つ必要がないため、ユーザの仕事の効率を向上することができる。
次に図１の上記複合ファクシミリ装置が、本発明に係る複合ファクシミリ装置である場合の例について説明する。
【００５３】
本例の複合ファクシミリ装置は、ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有し、さらに装置管理上必要な管理レポートを記録出力するレポート出力機能を有する装置である。
【００５４】
プロッタ部９は、記録出力手段を構成し、ファクシミリ受信出力時、コピー出力時および管理レポート出力時の各記録動作に用いられる。
操作／表示部４は、割込み指令入力手段を構成、現在実行中の装置動作に割込みをかける割込み指令を入力することができる。
システム制御部６は、制御手段を構成し、記録出力手段の動作を制御するものである。また、システム制御部６は、メモリ受信原稿を出力するメモリ原稿出力動作中および管理レポート出力動作中に割込み指令が入力された場合、プロッタ部９によるメモリ原稿出力および管理レポート出力用の記録動作を停止させて、コピー出力用の記録動作が可能となるように、プロッタ部９を制御する。
【００５５】
本発明に係る実施例では、受信中のコピーを可能としたが、ここではメモリ原稿出力中やレポート出力中のコピーの実現を図６〜図９を参照しつつ説明する。上述の実施例同様に、オペレータは、まずコピーを行うために操作部表示部４のコピーキーを押下するＳ１。この時Ｓ２で図２の資源リストをチェックする。Ｓ３に移って、この資源リストは各資源を１ビット毎に割り当て、システムメモリー３に記憶される。Ｓ４ではスキャナ部８とプロッタ部９のチェックが行われる。もし必要となる資源が使用できなければ表示部４にエラーメッセージが出力される。そこで、Ｓ６でオペレータは操作部４の割込みキーを押下する。
【００５６】
もし、Ｓ8 、Ｓ9 でメモリ原稿出力や管理レポート出力が動作してプロッタ部９が使用できなければ、メモリ原稿出力や管理レポート出力を制御しているファクシミリ制御部６に割込み要求があったことを通知する。Ｓ21でファクシミリ制御部６は割込み要求を受けたならば、メモリ原稿の出力、管理レポート出力を出力途中で中断終了する。Ｓ31でコピー終了後、Ｓ32で、使用していたプロッタ部９は解放され資源リスト（図２）は使用可「１」にセットされる。
【００５７】
上述のように本例では割込みキーによりメモリ原稿出力や管理レポート出力を途中中断することにより、Ｓ３１で即座にコピーが可能になる。なお、Ｓ２１で途中中断した出力は、中断したページより再出力を行うためユーザの仕事の効率を向上することができる。
次に図１の上記ファクシミリ装置が、本発明に係る複合ファクシミリ装置である場合の例について説明する。
【００５８】
本例の複合ファクシミリ装置は、ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有する装置である。
操作／表示部４は、割込み指令入力手段を構成し、現在実行中の装置動作に割込みをかける割込み指令を入力することができる。
【００５９】
システム制御部６は、制御手段を構成し、即時受信動作とメモリ受信動作との切換を制御する。また、システム制御部６は、割込み指令解除検出手段を構成し、操作／表示部４に入力された割込み指令が解除されたことを検出する。
システム制御部６は、割込み指令が入力されたときから割込み指令の解除が検出されるまでに着呼があった場合、受信動作を常にメモリ受信動作に設定する。
【００６０】
本例の作用を図10、図11を参照しつつ説明する。なお、図10中のＰ1〜Ｐ7 はフローチャートの各ステップを表している。
操作部４の割込みキーが押されたならば、割込みキーが押されたことをシステムメモリー３に記憶する。Ｐ1 でｉＮＣＵ１０ａが着呼を検出したならばＣＣＵ１０を通してファクシミリ制御部６に通知する。Ｐ2 でファクシミリ制御部６はシステムメモリー３から割込み状態を記憶したデータを読み出す。Ｐ3 で、この内容が割込み中ならば受信をメモリ受信、割込み中でなければ即時受信として登録する。登録されたならば図４の必要資源登録テーブルから必要資源をチェックする。メモリ受信の場合はＣＣＵ１０＋ＤＣＲ１、即時受信の場合はＣＣＵ１０＋ＤＣＲ１＋プロッタ部９が必要となる。必要となる資源を図２の資源リストから取除く（ビットを「０」にする）。
【００６１】
Ｐ3 で、もし割込み中ならばＰ4 でメモリ受信となり、先頭ページからＰ5 でＳＡＦ２に蓄積される。このとき、コピー操作が終了し操作部４からコピースタートを押しても、プロッタ部９が未使用なので、コピーが可能となる。
上述のように本例では、割込み中は、常にファクシミリ受信がメモリ受信モードに設定されている。したがって、再送信等の不要な動作をなくすことができる。
【００６２】
次に図１の上記ファクシミリ装置が、本発明に係る複合ファクシミリ装置である場合の例について説明する。
本例の複合ファクシミリ装置は、ファクシミリを受信しながら受信原稿を記録出力する即時受信、並びに、受信原稿を記録出力前に記憶して少なくとも受信終了まで保持するメモリ受信が可能なファクシミリ通信機能を有するとともに、コピー機能を有し、さらに装置管理上必要な管理レポートを記録出力するレポート出力機能を有する装置である。
【００６３】
操作／表示部４は、割込み指令入力手段を構成し、現在実行中の装置動作に割込みをかける割込み指令を入力することができる。
システム制御部６は、制御手段を構成し、メモリ受信原稿および管理レポートを所定時期に自動的に出力させる。また、システム制御部６は、割込み指令解除検出手段も兼用し、割込み指令が解除されたことを検出するものである。そして、システム制御初６は、割込み指令が入力されたときから割込み指令の解除が検出されるまで、メモリ原稿および管理レポートの出力を常に禁止する。
【００６４】
次に、本例の作用を図１１を参照しつつ説明する。なお、図１１中のＰ11〜Ｐ15はフローチャートの各ステップを表している。
操作部４の割込みキーが押下されると、割込み指令が発令されたことをシステムメモリー３に記憶する。次にＰ11で、ファクシミリ制御部６は、ある一定間隔（数ｍｓｅｃ）で実行できる資源ファイルがシステムにあるかをチェックし、Ｐ12で、その資源が使用可能な状態であれば、Ｐ13で、ファクシミリ制御部６はシステムメモリー３から割込み状態を記憶したデータを読み出す。この内容がＰ14で割込み中ならば、プロッタ資源を必要とする動作の実行を行わない。
【００６５】
プロッタ部を必要とする動作かそうでない動作かは図４の必要資源登録テーブルをチェックする。メモリ原稿出力、管理レポート出力はプロッタが必要となるため実行されない。もし割込み中ならばメモリ原稿出力と管理レポート出力ファイルが存在しても実行しない。このとき、コピー操作が終了し操作部４からコピースタートを押しても、プロッタ資源が未使用なのでコピーが可能となる。Ｐ14で割込み中でないならば出力を行なう。
【００６６】
上述のように本例では割込み状態を記憶することにより操作中にメモリ原稿出力と管理レポート出力が存在しても、割込みコピーを中断することなく、そのまま継続することができ、ユーザの仕事の効率を向上することができる。
次に、図１の上記ファクシミリ装置が、本発明に係る複合ファクシミリ装置である場合の例について説明する。
【００６７】
本例の複合ファクシミリ装置は、ファクシミリ通信機能を有するとともに、コピー機能を有する装置である。
操作／表示部４は、割込み指令入力手段を構成し、現在実行中の動作に割込みをかける割込み指令を入力することができる。
システム制御部６は、動作検出手段を構成し、現在実行中の動作の種類を検出する。また、システム制御部６は、割込み範囲設定手段を構成し、実行可能な装置動作の中から、割込みをかけることが可能な動作範囲を設定する。さらに、システム制御部６は、割込み許容手段を構成し、割込み範囲設定手段により設定された動作を実行中に割込み指令が入力されたときにのみ、該割込み指令に対応した割込み動作を許容する。
【００６８】
操作／表示部４は、割込み範囲変更手段も兼用し、割込み範囲設定手段により設定された動作範囲を変更する。
一般に、コピーに対する割込み可能な動作はコピー、受信、メモリ原稿出力、管理レポートが上げられるが、オペレータは操作部／表示部４から、この割込み可能動作のデータをセットし、その内容をシステムメモリー３に記憶させることができる。すなわち、オペレータは、操作／表示部４を操作して、割込み可能な動作を変更することができる。このデータの設定例を図５に示す。そして、例えば、１：（割込み可能）、０：（割込み禁止）として、各ビットを設定する。
【００６９】
割込みキーが押下されたならば、割込みで変更、中断、禁止する動作をファクシミリ制御部６でチェックする。このときシステムメモリー３から割込み可能動作データを読み出す。この内容と割込みを受付ける動作をチェックする。割込み可能動作データとチェックする動作が違っていれば割込み指令を発令させ、等しければその動作に対して割込み指令を発令させない。
【００７０】
例えば割込み可能動作にコピーと受信がセットされていて、チェックする動作が管理レポート出力ならば割込みキーが押されても受付けないので割込み動作は行なわれない。しかし、チェックする動作が例えば受信ならば割込み指令を受付けて上記実施例の処理を行う。
上述のように本例では、割込み可能動作設定するとともに、その設定を変更することができるようにしているので、ユーザの任意の設定によって仕事の効率を向上させることができる。
【００７１】
次に、図１に示される複合ファクシミリ装置が本発明に係る複合ファクシミリ装置である場合の一実施例を説明する。
本実施例では、図１に示される複合ファクシミリ装置が、受信画情報を記録出力前にＳＡＦ２に記憶して少なくとも受信終了まで保持するメモリ受信、並びに相手側ファクシミリ装置からの画情報を受信しながら受信原稿をプロッタ部９によって記録出力する即時受信が可能なファクシミリ送信機能と、スキャナ部８(読み取り部)によって読み取った原稿の画情報をプロッタ部９にって記録出力するコピー機能と、を備えている。
【００７２】
プロッタ部９は、記録出力手段を構成し、ファクシミリ受信の受信画情報の出力時およびコピー出力時の両方の記録動作に使用される。
操作／表示部４は、割込み手段を構成し、現在実行中の装置動作に割込みをかけるものである。
システム制御部６は、操作／表示部４からの指令に基づき、メモリ受信中の画情報の出力または即時受信中の画情報の出力を一旦中断してＳＡＦ２に蓄積させるように制御する制御手段を構成している。システムメモリー３は、記憶手段を構成しており、割込みによって受信動作が中断したときに中断後のファイルを記憶するものである。
【００７３】
また、システム制御部６は、プロッタ部９が開放されたことが検出されたときに、プロッタ部９を制御してコピー出力動作を開始するコピー出力開始手段と、コピー出力動作が終了したことを監視するコピー終了監視手段と、コピー出力動作が終了してプロッタ部９の使用が可能になったときに、割込み直後に中断したファイルの画情報で、かつプロッタ部９の空きを待っているファイルをシステムメモリー３の中から検索するファイル検索手段と、該検索結果に基づき、割込み直後に中断したファイルの画情報をＳＡＦ２から読み出して最初に出力する実行手段と、を構成している。
【００７４】
次に、図２〜５および図12に基づいて作用を説明する。なお、図12はシステム制御部６で実行される処理のフローチャートであり、図12中、Ｓ21〜Ｓ35はフローチャートの各ステップを示している。まず、操作／表示部４によって割込みを指示してＳＡＦ２から画情報の出力を中断した場合には、ＳＡＦ２にその画情報を蓄積し続けるとともに、そのファイルを管理するシステムメモリー３に該ファイル情報を記憶するとともに割込みの実行と終了を監視する。
【００７５】
次いで、割込み処理が終了したときにＳＡＦ２に中断後の出力待機ファイルがあるか否かを判別する(ステップＳ21)。存在しない場合には、今回の処理を終了し、存在する場合には、システムメモリー３に記憶されたファイル情報に基づいて割込みによって終了したファイルがあるか否かを検索(ステップＳ22)する。
割込みによって終了したファイルが存在しないならば、通常の出力待機ファイルを読み出し(ステップＳ24)、ファイルが存在するならば、この割込みによって終了したファイルを優先して読み出す(ステップＳ25)。
【００７６】
次いで、該読み出し結果を出力するための装置(資源)が空いているか否かを判別する(ステップＳ26)。この場合には、例えば、代行受信であれば、プロッタ部９とＤＣＲ１が必要であるので、図２に示す資源リストと比較し、システムメモリー３に記憶されている資源が１：(資源あり)、０：(資源なし）となっているか否かを判別することにより行なう。
【００７７】
資源が空いている場合には、資源リストから使用資源(プロッタ部９とＤＣＲ１)をＯＦＦ(０)にし(ステップＳ27)、次いで、ＳＡＦ２から圧縮画情報を読み出した後(ステップＳ28)、ＤＣＲ１で復調する(ステップＳ29)。次いで、復調された画情報をラインバッファメモリ７にセットし(ステップＳ30)、プロッタ部９に転送して記録出力する(ステップＳ31)。このプロッタ部９では給紙ユニット９ａから給紙された記録紙に引続いて画情報を印字する。
【００７８】
次いで、割込みによる中断、例えば、コピーの出力要求があるか否かを判別し(ステップＳ32)、ない場合には、次頁があるか否かを判別し(ステップＳ33)、ある場合にはステップＳ28を戻り、ない場合には、資源リストに使用した資源をＯＮ(１)として資源を未使用にして他の動作の実行を可能にした後、今回の処理を終了する。
【００７９】
一方、ステップＳ32で割込みが行なわれた場合には、割込み要求有りをセットし(ステップＳ34)、資源リストに使用した資源をＯＮ(１)として(ステップＳ35)今回の処理を終了する。このため、プロッタ部９が開放されて図４に示すようにコピーのために必要な資源であるスキャナ部８とプロッタ部９の使用が可能になり、コピーを行なうことができる。
【００８０】
なお、本実施例では、即時受信(相手側ファクシミリ装置からの画情報を受信しながら受信原稿を記録出力すること)中に割込み処理が行なわれた場合には、図３に示すように画情報の流れをプロッタ系(モデム10ａからラインバッファメモリ７を介してプロッタ部９に送る)からＳＡＦ系(モデム10ａからラインバッファメモリ７を介してＳＡＦ２に送る)に切り替えるように制御する。
【００８１】
このように本実施例では、割込み処理が終了されて資源が開放されたときに、割込みによって中断されたファイルを検索して最初に出力するようにしているため、例えば、Ａファイル５頁およびＢファイル７頁の代行受信中にＡファイルの３頁目が記録出力された状態でコピー等の割込み処理が行なわれ、該割込み処理が終了した場合に、既に記録出力されたＡファイルの４頁目から記録出力した後にＢファイルの７頁を出力させることができる。この結果、ファイルの順序性を保持することができ、複合ファクシミリ装置の使用性を向上させることができる。
【００８２】
次に、図１に示される複合ファクシミリ装置が本発明に係る複合ファクシミリ装置である場合の一実施例を説明する。
本実施例では、図１に示される複合ファクシミリ装置において、システム制御部６は、ＳＡＦ２から出力されたファイルの先頭頁の数ラインを読み取る読み取り手段と、読み取ったラインの一部に任意のデータを挿入するデータ挿入手段と、を構成し、プロッタ部９が、システム制御部６の出力情報に基づいてＳＡＦ２から出力された先頭頁の一部にマークを印字するように構成されている。
【００８３】
次に、図13に基づいて作用を説明する。なお、図13はシステム制御部６で実行される処理のフローチャートである。
まず、操作／表示部４によって割込みを指示してＳＡＦ２から画情報の出力を中断した場合には、ＳＡＦ２にその画情報を蓄積し続けるとともに、そのファイルを管理するシステムメモリー３に該ファイル情報を記憶する。
【００８４】
次いで、割込み処理が終了したとき、ＳＡＦ２に中断後の出力待機ファイルがあるか否かを判別する(ステップＳ41)。存在しない場合には、今回の処理を終了し、存在する場合には、システムメモリー３に記憶されたファイル情報に基づいて割込みによって終了したファイルがあるか否かを検索し、出力待機ファイルを読み出す(ステップＳ42)。
【００８５】
次いで、該読み出し結果を出力するための資源が空いているか否かを判別する(ステップＳ43)。この場合には、例えば、代行受信であれば、プロッタ部９とＤＣＲ１が必要であるので、図２に示す資源リストと比較し、システムメモリー３に記憶されている資源が１：(資源あり)、０：(資源なし）となっているか否かを判別することにより行なう。
【００８６】
資源が空いている場合には、資源リストから使用資源(プロッタ部９とＤＣＲ１)をＯＦＦ(０)にし(ステップＳ44)、次いで、ＳＡＦ２から圧縮画情報を読み出した後(ステップＳ45)、ＤＣＲ１で復調する(ステップＳ46)。次いで、復調された画情報をラインバッファメモリ７にセットし(ステップＳ47)、このセットされたものが割込みによって終了したファイルか否かを判別する(ステップＳ48)。
【００８７】
次いで、割込みファイルでない場合には、プロッタ部９で印字し(ステップＳ52)、割込みファイルで有る場合には、ラインバッファにセットされた画情報が１頁目であるか否かを判別する。
１頁目でない場合には、ステップＳ52に進み、１頁目である場合には、マーク挿入ラインをオーバーしたか否かを判別し(ステップＳ50)、オーバーしてしいな場合には、ラインバッファの特定位置(先頭部分)にマークを挿入した後(ステップＳ51)、プロッタ部９によって印字する(ステップＳ52)。
【００８８】
次いで、次頁があるか否かを判別し(ステップＳ53)、ある場合には、ステップＳ45に戻り、ない場合には、資源リストに使用した資源をＯＮ(１)として(ステップＳ54)今回の処理を終了する。
このように本実施例では、割込み処理の終了後に再出力されたファイルの先頭頁の一部にマークを印字するようにしているため、割込みによって中断されたファイルであることが容易に認知することができ、記録出力されたコピー紙等の他のファイルとの区別をつけることができるとともに先に出力された頁と関連づけを行なうことができる。
【００８９】
すなわち、割込みによって即時受信中の画情報の出力または代行受信中の画情報の出力が中断された場合、そのファイルが完結されたか否かを容易に判断することができる。
次に、図１に示される複合ファクシミリ装置が本発明に係る複合ファクシミリ装置である場合の一実施例を説明する。
【００９０】
本実施例では、図１に示される複合ファクシミリ装置において、システム制御部６が、メモリ受信した画情報の頁数を１頁毎にカウントするカウント手段を構成し、割込みが終了したときに、該受信した画情報のカウントを１に設定し、メＳＡＦ２に蓄積された受信画情報を１頁目から再出力するものである。
次に、図14に基づいて作用を説明する。なお、図14はシステム制御部６で実行される処理のフローチャートである。
【００９１】
まず、操作／表示部４によって割込みを指示してＳＡＦ２から画情報の出力を中断した場合には、例えば、代行受信中であればＳＡＦ２にその画情報を蓄積し続けるとともに、そのファイルを管理するシステムメモリー３に該ファイル情報を記憶する。
次いで、割込み処理が終了したときにＳＡＦ２に中断後の出力待機ファイルがあるか否かを判別する(ステップＳ61)。存在しない場合には、今回の処理を終了し、存在する場合には、通常の出力待機ファイルを読み出す(ステップＳ62)。次いで、読み出し結果を出力するための装置(資源)が空いているか否かを判別する(ステップＳ63)。
【００９２】
資源が空いている場合には、資源リストから使用資源をＯＦＦ(０)にした後(ステップＳ64)、この出力画情報が割込みによって終了したファイルでがあるか否かをシステムメモリー３に記憶されたファイル情報に基づいて判別する(ステップＳ65)。
割込みによって終了したファイルでない場合、すなわち、ジャム等によって中断されたファイルであれば、読み出し開始頁の未出力頁をセットする(ステップＳ66)。なお、システム制御部６では、割込み中断前にプロッタ部９で印字される度に印字終了頁を１頁づつカウントしており、例えは５頁の代行受信ファイルが存在し２頁目まで出力された時点でシステムメモリー３に「２」を記憶するようにしている。したがって、この処理では、出力頁に３頁目をセットする。
【００９３】
一方、割込みによって終了したものと判断した場合には、システムメモリー３に記憶されたカウント、すなわち、出力済み頁数をゼロまたは無視して読み出し開始頁を１にセットする(ステップＳ67)。
次いで、ＳＡＦ２の１頁目から圧縮画情報を読み出した後(ステップＳ68)、ＤＣＲ１で復調する(ステップＳ69)。次いで、復調された画情報をラインバッファメモリ７にセットし(ステップＳ70)、プロッタ部９に転送して記録出力する(ステップＳ71)。
【００９４】
次いで、次頁があるか否かを判別し(ステップＳ72)、ある場合にはステップＳ68を戻り、ない場合には、資源リストに使用した資源をＯＮ(１)として(ステップＳ73)今回の処理を終了する。
このように本実施例では、割込みによって途中で中断された出力ファイルの再出力を常に頁の先頭から行なっているため、ファイルの順序性を確実に保持することができるとともにファイルが欠落することを確実に防止することができる。
【００９５】
次に、図１に示される複合ファクシミリ装置が本発明に係る複合ファクシミリ装置である場合の一実施例を説明する。
本実施例では、図１に示される複合ファクシミリ装置において、システムメモリー３は、割込みによって即時送信動作が中断されたファイル情報を記憶する第１記憶手段を構成しており、システム制御部６は、読み取り部を構成する装置(スキャナ部８)が開放されたことが検出されたときに、スキャナ部８を制御してコピー出力動作を開始する第１コピー出力開始手段を構成している。
【００９６】
また、システム制御部６は、コピー出力動作が終了したことを監視する第１コピー終了監視手段と、割込みが解除され、即時送信動作が中断されたファイルの残りの原稿をセットしたとき、該送信ファイルの情報をシステムメモリー３から読み出す第１読み出し手段と、を構成している。
また、システム制御部６は、ＤＣＲ１よびＣＣＵ10と共に送信手段を構成しており、セットされた原稿を、先に即時送信された画情報に引続いて即時送信するように制御する。
【００９７】
次に、図15に基づいて作用を説明する。なお、図15システム制御部６で実行される処理のフローチャートである。
なお、本実施例では、ステップＳ92において、割込みによって即時送信動作が中断されたファイル情報(相手先電話番号、送信した頁数等)をシステムメモリー３に記憶するものである。
【００９８】
まず、即時送信中に割込みを行なう場合には、操作／表示部４によって割込みを指示して現在送信中の頁の送信を行なった後に即時送信を中断するとともに、そのファイルを管理するシステムメモリー３に該ファイル情報を記憶する。
本実施例では、まず、ステップＳ81で、割込み解除送信があったか否かを判別し、解除送信がない場合には、操作／表示部４からの送信情報を読み出す(ステップＳ83)。一方、解除送信があった場合には、システムメモリー３から割込み要求時に記憶した相手先電話番号、送信した頁数等のファイル情報を読み出す(ステップＳ82)。
【００９９】
次いで、即時送信を行なうための資源が空いているか否かを判別する(ステップＳ84)。この場合には、図４に示すようにスキャナ部８、ＤＣＲ１およびＣＣＵ10)が必要であるので、図２に示す資源リストと比較し、システムメモリー３に記憶されている資源が１：(資源あり)、０：(資源なし）となっているか否かを判別することにより行なう。
【０１００】
資源が空いている場合には、資源リストから使用資源(プロッタ部９とＤＣＲ１およびＣＣＵ10)をＯＦＦ(０)にし(ステップＳ85)、ＡＤＦ８ａにセットされた原稿をスキャナ部８で読み取る(ステップＳ86)。次いで、読み取られた画情報をラインバッファメモリ７にセットした後(ステップＳ87)、ＤＣＲ１で圧縮し(ステップＳ88)、次いで、ＣＣＵ10によって送信する(ステップＳ89)。
【０１０１】
次いで、操作／表示部４から割込み要求があったか否かを判別し(ステップ90)、ない場合には、次頁があるか否かを判別し(ステップＳ91)、ない場合には、システムメモリー３に記憶されたファイル情報の即時送信を継続するために、資源リストに使用した資源をＯＮ(１)とした後(ステップＳ93)、今回の処理を終了する。
【０１０２】
また、割込み要求があった場合には、割込みによって即時送信動作が中断されたファイル情報(相手先電話番号、送信した頁数等)をシステムメモリー３に記憶し(ステップＳ92)、現在送信中の頁を正常に送信した後、資源リストに使用した資源をＯＮ(１)とし(ステップＳ93)、今回の処理を終了する。
このように本実施例では、割込みによって途中で中断されたファイル情報に基づいて即時送信を再開しているため、割込みによって即時送信を一旦中断し、コピー等の割込み処理が行なわれた後、再び即時送信を開始するときに相手先電話番号の再入力を行なったり、あるいは新たな発呼になることからＴＴＩに印字される頁数が１頁目からとなって受信側で前の送信に対する続きであることが判断できないような事態が発生するのを防止することができる。この結果、即時送信時の割込みとその復帰を容易に行なうことができ、即時送信時の操作性を向上させることができる。
【０１０３】
次に、図１に示される複合ファクシミリ装置が本発明に係る複合ファクシミリ装置である場合の一実施例を説明する。
本実施例では、図１の複合ファクシミリ装置において、システム制御部６は、割込みによってＳＡＦ２への画情報の蓄積が中断されたファイル情報を記憶する第２記憶手段を構成し、システムメモリー23は、割込みによってメモリ蓄積動作が中断されたファイル情報を記憶する第２記憶手段を構成している。また、システム制御部６は、スキャナ部８が開放されたことが検出されたときに、スキャナ部８を制御してコピー出力動作を開始する第２コピー出力開始手段と、コピー出力動作が終了したことを監視する第２コピー終了監視手段と、割込みが解除され、メモリ蓄積動作が中断されたファイルの残りの原稿をセットしたとき、該ファイルの情報を第２記憶手段から読み出す第２読み出し手段と、システムメモリー３から読み出したファイル情報に基づいてセットされた原稿を先に蓄積された画情報に引続いてＳＡＦ２に蓄積する蓄積手段と、構成している。
【０１０４】
次に、図16に基づいて作用を説明する。なお、図15はシステム制御部６で実行される処理のフローチャートである。
なお、本実施例では、ステップＳ111において、割込みによって画情報の蓄積が中断されたファイル情報(画情報アドレス、蓄積済み頁数、蓄積線密度、濃度等)をシステムメモリー３に記憶するものである。
【０１０５】
まず、ＳＡＦ２に画情報を蓄積している最中にコピー等のための割込みを行なう場合には、操作／表示部４によって割込みを指示してＳＡＦ２への画情報の蓄積を中断し、そのファイルを管理するシステムメモリー３に上記ファイル情報を記憶する。
本実施例では、まず、ステップＳ100で、割込み解除蓄積(割込み解除指令)があったか否かを判別し、解除指令がない場合には、操作／表示部４からの蓄積情報を読み出す(ステップＳ101)。一方、解除指令があった場合には、システムメモリー３から割込み要求時に記憶した画情報アドレス、蓄積済み頁数、蓄積線密度、濃度等のファイル情報を読み出し(ステップＳ102)、この読み出した内容で原稿の画情報の蓄積を前の頁の追加して継続する。
【０１０６】
次いで、メモリ送信を行なうための資源が空いているか否かを判別する(ステップＳ104)。この場合には、図４に示すようにスキャナ部８、ＤＣＲ１およびＣＣＵ10)が必要であるので、図２に示す資源リストと比較し、システムメモリー３に記憶されている資源が１：(資源あり)、０：(資源なし）となっているか否かを判別することにより行なう。
【０１０７】
資源が空いている場合には、資源リストから使用資源(プロッタ部９とＤＣＲ１およびＣＣＵ10)をＯＦＦ(０)にし(ステップＳ104)、ＡＤＦ８ａにセットされた原稿をスキャナ部８で読み取る(ステップＳ105)。次いで、読み取られた画情報をラインバッファメモリ７にセットした後(ステップＳ106)、ＤＣＲ１で圧縮し(ステップＳ107)、次いで、ＳＡＦ２に蓄積する(ステップＳ108)。
【０１０８】
次いで、操作／表示部４から割込み要求があったか否かを判別し(ステップ109)、ない場合には、次頁があるか否かを判別し(ステップＳ110)、ない場合には、システムメモリー３に記憶されたファイル送信を行なうために、資源リストに使用した資源をＯＮ(１)とした後(ステップＳ112)、今回の処理を終了する。
また、割込み要求があった場合には、割込みによって蓄積が中断された上記ファイル情報をシステムメモリー３に記憶する(ステップＳ111)。このとき、先に蓄積が完成した頁が送信されないようにファイルを未完成状態にし、この状態であることをシステムメモリー３に記憶する。
【０１０９】
このため、システム制御部６が実行待機ファイルが存在しないか否かを検索したときに、このファイルが実行待機ファイルの検索対象から外され、送信されることがない。
また、割込み処理があった場合には、読み取り中の頁を正常に蓄積した後、資源リストに使用した資源をＯＮ(１)とし(ステップＳ112)、資源を未使用として他の動作(コピー等)を実行可能にして今回の処理を終了する。
【０１１０】
このように本実施例では、割込み処理が終了したときに、割込みによって途中で中断されたファイル情報に基づいて画情報の蓄積を再開することにより、画情報の蓄積時の割込みとその復帰を容易に行なうことができ、メモリ送信時の操作性を向上させることができる。
図17は本発明に係る複合ファクシミリ装置の一実施例の構成図である。
【０１１１】
まず、構成を説明する。図17において、21はＤＣＲ(画情報／再生装置）、22画情報の蓄積用のＳＡＦ、23はシステム管理用のデータを格納するシステムメモリー、24はスイッチ類から構成されるキー入力装置およびオペレータにシステムの状態を視覚的に表示する液晶表示装置が設けられた操作／表示部、25は時計機能を備えたリアルタイムクロック、26は本システム全体を制御するシステム制御部、27はデータ転送用のラインバッファ、28は送信する原稿の画像やコピー原稿の画情報を読み取るスキャナ部、28ａは原稿幅検知センサ等を備えたＡＤＦ(原稿自動搬送装置)、29は記録紙を印字(記録)するプロッタ部、29ａは記録紙をセットする給紙ユニット、30はＣＣＵ(通信制御装置)、30ａはモデム(変調／復調装置)、30ｂはｉＮＣＵ(ＩＳＤＮ網制御装置)、31はパソコン等のホストコンピュータからのプリントを制御するプリンターインターフェース(以下、単位にプリンターＩ／Ｆという)である。
【０１１２】
この装置は、送受信画情報をプロッタ部29によって記録出力する前あるいはＣＣＵ30およびｉＮＣＵ30によって送信する前にＳＡＦ22に記憶して少なくとも送信終了あるいは受信終了まで保持するメモリ送受信を行なうとともに相手側ファクシミリ装置からの画情報を受信しながら受信画情報をプロッタ部29によって記録出力する即時受信およびおよびスキャナ部28によって原稿の画情報を読み取りながら送信する即時送信を行なうファクシミリ送信機能と、スキャナ部28によって読み取った原稿の画情報をプロッタ部29によって記録出力するコピー機能と、プリンタＩ／Ｆを介してパソコン等から入力される信号に基づいて作動するプリンタ機能と、を有するものである。
【０１１３】
次に、図17に示される複合ファクシミリ装置が本発明に係る複合ファクシミリ装置である場合の一実施例を説明する。
本実施例にあっては、図17に示される複合ファクシミリ装置において、システム制御部26は、メモリー送受信、即時送受信等のファクシミリ通信機能、コピー機能およびプリンター機能の少なくとも１つ以上を実行するのを禁止するよう各機能を実行するプロッタ、プリンターＩ／Ｆ等の使用を禁止する実行禁止設定手段と、上記各機能の何れか１つを実行するように操作／表示部24が操作されたとき該機能に対応する装置の監視を行なう監視手段と、監視された資源が使用可能か否かを判別する判別手段と、実行禁止が設定された内容を読み出す手段と、を構成している。
【０１１４】
また、操作／表示部24はシステム制御部26からの信号に基づいて読み出された内容を表示する表示手段を構成しており、図18に示すように液晶表示部33を有し、システム制御部26からの信号に応じて各種表示を行なうようになっている。また、この操作／表示部24はテンキー34はワンタッチキー35、あるいはスタートキー等の複数の操作キーを有している。
【０１１５】
次に、図19〜22に基づいて作用を説明する。なお、図19はシステム制御部26で実行される処理のフローチャートであり、図19中、Ｓ121〜Ｓ134はフローチャートの各ステップを示している。まず、禁止ファイルエリアをクリアした後(ステップＳ121)、オペレータが操作／表示部24から実行禁止ファイルを入力したか否かを判別する(ステップＳ122)。
【０１１６】
このとき、オペレータが本複合ファクシミリ装置をプリンタ専用機として使用するためにプロッタ部29を使用するファイルを全て実行禁止にする場合には、操作／表示部24から、コピー、メモリー原稿出力、レポート出力を入力する。
ステップＳ122で上記実行禁止ファイルの入力が行なわれたものと判断された場合には、該禁止ファイルをシステムメモリー23に記憶する(ステップＳ123)。なお、この記憶方法は各々ファイル単位個別に記憶しても良いし、１つのファイル種別を１ビットで表し、そのＯＮ／ＯＦＦで実行可能／不可を表しても良い。本実施例では、後者の方法で記憶するものとして説明する。この場合には、ビットマップは図20のように示され、各資源(装置)は１ビット毎に割当てられ、ビットがＯＦＦ(０)で実行可能ファイル、ＯＮ(１)で実行禁止ファイルとされる。
【０１１７】
そして、この場合には、コピー、メモリー原稿出力、レポート出力がＯＮ(１)となり、システムメモリー23に記憶される。
次いで、この実行禁止状態で本複合ファクシミリ装置にファイル実行要求があったか否かを判別し(ステップＳ124)、ファイル実行要求があった場合には、ファイル管理ブロックを作成する(ステップＳ125)。例えば、この状態でコピーを行なった場合には、コピーはファイル管理ブロックとしてシステムメモリー23に登録される。
【０１１８】
この管理ブロックは図21のように示され、ファイルの種類を表すファイル種別、ファイルを作成する毎にシーケンシャルに割当てられるファイルナンバー、そのファイルを実行するために必要な資源リスト、ファイル管理ブロックの作成順のリンクの情報が記憶される。
この管理ブロックは例えば、コピーのファイル管理ブロックはファイル種別にコピー(図22に示すように０３が割当てられる)、ファイルナンバーに任意の番号、資源リストにスキャナ部28およびプロッタ部29がセットされ、次のファイルが存在しなければ、次管理ブロックはゼロ(００)がセットされる。
【０１１９】
このように、スタートキーが押下されたときにシステムメモリー23にはファイル管理ブロックとして上記内容が記憶される。
次いで、ファイル管理ブロックの登録後には、登録されたファイルが実行可能か否かをリンク順にチェックする作業を行なう。この作業はファイル管理ブロックの資源リストが未使用で、かつ使用可能かをチェックする(ステップＳ126)。コピーの場合には、スキャナ部28およびプロッタ部29が使用可能か否かをチェックする。
【０１２０】
ステップＳ126で使用不可能であると判断された場合には、液晶表示部33に「資源が確保できません」という表示を行ない(ステップＳ127)、コピーをファイル管理ブロックから抹消する。
一方、資源が使用可能であるものと判断された場合には、先に登録した実行禁止ファイルのリストビットマップをシステムメモリー23から読み出し(ステップＳ128)、ファイル管理ブロックのファイル種別と比較する(ステップＳ129)。
【０１２１】
この場合には、実行禁止ファイルにコピーが登録されているため、液晶表示部33に図18に示すように「実行禁止ファイルです」という表示を行ない、コピーをファイル管理ブロックから抹消する。
次に、ステップＳ129でＮＯと判断されてステップＳ131以降のフロー実行する場合について説明する。
【０１２２】
このとき即時送信を行なう場合には、操作／表示部24によって宛先が入力され、ＡＤＦ28ａに送信原稿がセットされてスタートキーが押下されることにより、ステップＳ124で即時送信のファイルが実行されたと判断されたとき、ファイル管理ブロックを作成する（ステップＳ125)。
このときも上述したように、ファイル種別に即時送信(図22に示すようにファイル種別番号０４が割当てられる)、ファイルナンバーに任意の番号、資源リストにスキャナ部28および回線がセットされ、次のファイルが存在しなければ、次管理ブロックはゼロ(００)がセットされる。このようにしてシステムメモリー23にはファイル管理ブロックとして上記内容が記憶された後、登録されたファイルが実行可能か否かをリンク順にチェックする作業を行なう。この作業はファイル管理ブロックの資源リストが未使用で、かつ使用可能かをチェックする(ステップＳ126)。即時送信の場合には、スキャナ部28および回線が使用可能か否かをチェックする。
【０１２３】
ステップＳ126で使用不可能であると判断された場合には、液晶表示部33に「資源が確保できません」という表示を行ない(ステップＳ127)、即時送信をファイル管理ブロックから抹消する。
一方、資源が使用可能であるものと判断された場合には、先に登録した実行禁止ファイルのリストビットマップをシステムメモリー23から読み出し(ステップＳ128)、ファイル管理ブロックのファイル種別と比較する(ステップＳ129)。
【０１２４】
この場合には、実行禁止ファイルに即時送信が登録されていないため、液晶表示部33に「実行中です」という表示を行ない(ステップＳ131)、即時送信を実行する(ステップＳ132)。次いで、即時送信が終了したとき(ステップＳ133)、即時送信をファイル管理ブロックから抹消する。
次に、上述した設定禁止状態で、プリンター出力のファイルを実行する場合について説明する。
【０１２５】
この場合は、プリンター出力要求はプリンターＩ／Ｆ31から発生する。ここで要求が発生したならば、システム制御部26はこれを監視し(ステップＳ124)、上述したように管理ブロックが作成される(ステップＳ125)。このときも上述したように、ファイル種別にプリンター出力(図22に示すようにファイル種別番号０８が割当てられる)、ファイルナンバーに任意の番号、資源リストにプロッタ部29がセットされ、次のファイルが存在しなければ、次管理ブロックはゼロ(００)がセットされる。
【０１２６】
このようにしてシステムメモリー23にファイル管理ブロックとして上記内容が記憶された後、登録されたファイルが実行可能か否かをリンク順にチェックする作業を行なう。この作業はファイル管理ブロックの資源リストが未使用で、かつ使用可能かをチェックする(ステップＳ126)。プリンター出力の場合には、プロッタ部29が使用可能か否かをチェックする。
【０１２７】
ステップＳ126で使用不可能であると判断された場合には、液晶表示部33に「資源が確保できません」という表示を行ない(ステップＳ127)、プリンター出力をファイル管理ブロックから抹消する。
一方、資源が使用可能であるものと判断された場合には、先に登録した実行禁止ファイルのリストビットマップをシステムメモリー23から読み出し(ステップＳ128)、ファイル管理ブロックのファイル種別と比較する(ステップＳ129)。
【０１２８】
この場合には、実行禁止ファイルにプリンター出力は登録されていないため液晶表示部33に「実行中です」という表示を行ない(ステップＳ131)、プリンター出力を実行する(ステップＳ132)。次いで、プリンター出力が終了したとき(ステップＳ133)、プリンター出力をファイル管理ブロックから抹消する。
このように本実施例では、ファクシミリ通信機能、コピー機能およびプリンター機能の少なくとも１つ以上を実行するのを禁止するよう各機能を実行する資源)の使用を禁止しているため、実行させたい機能を使用するファイルに対して優先的に装置を割当てて実行することができ、複合ファクシミリ装置の利用機能を制限して特定ファイルに対しての専用装置とすることができる。この結果、他のファイルの実行が終了するまで待機する必要がなく、直ちにファイルの実行を行なうことができ、複合ファクシミリ装置の使用性を向上させることができる。
【０１２９】
また、実行禁止となっている内容を液晶表示部33によって表示しているので、利用者に装置の状態を通知することができ、禁止設定されている装置が作動しない原因を容易に知らせることができる。
次に、図17に示される複合ファクシミリ装置が本発明に係る複合ファクシミリ装置である場合の一実施例を説明する。
【０１３０】
本実施例にあっては、図17に示される複合ファクシミリ装置において、システム制御部26は、禁止設定された状態にある機能を監視する監視手段と、実行可能な機能(禁止設定されていない機能)の実行されたことおよび該実行が終了したことを監視する実行・終了監視手段と、実行可能な機能の実行が終了されたときに実行禁止の設定を解除する解除手段と、を構成している。
【０１３１】
次に、図23のフローチャートに基づいて作用を説明する。なお、図23はシステム制御部26で実行される処理のフローチャートであり、図23中、Ｓ121〜Ｓ125までの処理は上述したものと同様であるため、説明を省略する。なお、本実施例にあっては、オペレータが本複合ファクシミリ装置をプリンタ専用機として使用するためにプロッタ部29を使用するファイルを全て実行禁止にし(コピー、メモリー原稿出力、レポート出力がＯＮ(１)となって、システムメモリー23に記憶された状態)、この状態でプリンター出力のファイルを実行する例を説明する。
【０１３２】
この場合は、プリンター出力要求はプリンターＩ／Ｆ31から発生する。ここで要求が発生したならば、システム制御部26はこれを監視し、上述したように管理ブロックを作成してシステムメモリー23にファイル管理ブロックとして記憶した後、登録されたファイルが実行可能か否かをリンク順にチェックする作業を行なう。この作業はファイル管理ブロックの資源リストが未使用で、かつ使用可能かをチェックする(ステップＳ141)。プリンター出力の場合には、プロッタ部29が使用可能か否かをチェックする。
【０１３３】
ステップＳ41で使用不可能であると判断された場合には、プリンター出力をファイル管理ブロックから抹消する。一方、資源が使用可能であるものと判断された場合には、先に登録した実行禁止ファイルのリストビットマップをシステムメモリー23から読み出し(ステップＳ142)、ファイル管理ブロックのファイル種別と比較する(ステップＳ143)。
【０１３４】
この場合には、実行禁止ファイルにプリンター出力は登録されていないためプリンター出力を実行する(ステップＳ144)。次いで、プリンター出力が終了した場合には(ステップＳ145)、禁止ファイルをリセットする。
すなわち、実行禁止ファイルがセットされていたならば、実行禁止ファイルの全てのビットをリセット(ＯＦＦ)してそのリセットした内容をシステムメモリー23に記憶し(ステップＳ146)、記憶終了後にプリンター出力をファイル管理ブロックから抹消する。
【０１３５】
このように本実施例では、実行が禁止された機能以外のファイルが実行されたときに、実行を終了した時点で自動的に実行禁止を解除しているため、実行禁止設定の解除を忘れたときにでも実行したい機能を実行した後に自動的に実行禁止を解除することができる。このため、例えば、プリンターとして利用するためにプリンター以外のファイルの実行を禁止したまま実行禁止を解除せずに無人で作動する自動受信等が行なわれないような事態が発生するのを防止することができ、複合ファクシミリ装置の使用性をより一層向上させることができる。
【０１３６】
次に、図17に示される複合ファクシミリ装置が本発明に係る複合ファクシミリ装置である場合の一実施例を説明する。
本実施例にあっては、図17に示される複合ファクシミリ装置において、システム制御部26は、実行禁止状態にある機能を監視する監視手段と、実行可能な機能(禁止されていない機能)が実行されたか否かを監視する実行監視手段を構成し、リアルタイムクロック25は、システム制御部26からの指令に基づき、実行可能な機能が実行されない時間を計測する計測手段を構成している。また、システム制御部26は、該クロック25の計測情報に基づき、一定時間経過後に実行禁止設定をを解除するオーバータイム解除手段を構成している。
【０１３７】
次に、図24、25のフローチャートに基づいて作用を説明する。なお、図24はシステム制御部26で実行される処理のフローチャートである。
まず、禁止ファイルエリアをクリアした後(ステップＳ151)、監視時刻をクリアする(ステップＳ152)。次いで、オペレータが操作／表示部24から実行禁止ファイルを入力したか否かを判別する(ステップＳ153)。ここでは、一定間隔(数msec)毎に実行禁止ファイルビットマップをシステムメモリー26から読み出して実行禁止ファイルが入力されたか否かを監視する。
【０１３８】
このとき、オペレータが本複合ファクシミリ装置をプリンタ専用機として使用するためにプロッタ部29を使用するファイルを全て実行禁止にする場合には、操作／表示部24から、コピー、メモリー原稿出力、レポート出力を入力する。
ステップＳ153で上記実行禁止ファイルの入力が行なわれたものと判断された場合には、該禁止ファイルをシステムメモリー23に記憶する(ステップＳ154)。なお、この場合には、コピー、メモリー原稿出力、レポート出力がＯＮ(１)となり、システムメモリー23に記憶される。
【０１３９】
次いで、監視時間がセットされた否かを監視し(ステップＳ156)、セットされていない場合には、クロック25から現在時刻を読み出し、監視開始時間をシステムメモリー23に記憶する(ステップＳ157)。
一方、ステップＳ155で監視時間がセットされていたならば、クロック25から禁止ファイルにデータがセットされた時間(監視開始時間)をシステムメモリー23から読み出し(ステップＳ158)。次いで、クロック25から現在時刻を読み出す(ステップＳ159)。
【０１４０】
次いで、この監視開始時間かち一定時間(例えば５分)経過したか否かを監視し(ステップＳ160)、５分以内にステップＳ162でファイルの実行要求があった場合には、システムメモリー23に記憶されている時間をリセットする(ステップＳ163)。
また、ステップＳ160で５分経過した状態でファイルの実行要求がない場合には、実行禁止ファイルビットマップを全てリセット(ＯＦＦ)してシステムメモリー23に記憶する。
【０１４１】
また、５分以内にファイル実行要求があった場合には、上述したように監視開始時刻をリセットしてファイル管理ブロックを作成し(ステップＳ164)、次いで、例えば、この状態でコピーを行なった場合には、コピーはファイル管理ブロックとしてシステムメモリー23に登録される。
次いで、ファイル管理ブロックの登録後に、登録されたファイルが実行可能か否かをリンク順にチェックする作業を行なう。この作業はファイル管理ブロックの資源リストが未使用で、かつ使用可能かをチェックする(ステップＳ165)。コピーの場合には、スキャナ部28およびプロッタ部29が使用可能か否かをチェックする。
【０１４２】
ステップＳ165で使用不可能であると判断された場合には、コピーをファイル管理ブロックから抹消する。
一方、資源が使用可能であるものと判断された場合には、先に登録した実行禁止ファイルのリストビットマップをシステムメモリー23から読み出し(ステップＳ166)、ファイル管理ブロックのファイル種別と比較する(ステップＳ167)。
【０１４３】
このとき、要求ファイルが実行禁止ファイルであるコピーの場合には、実行禁止ファイルにコピーが登録されているため、コピーをファイル管理ブロックから抹消する(ステップＳ170)。
また、要求ファイルが実行禁止ファイルでない場合には、該ファイルを実行して管理ブロックから抹消する(ステップＳ168〜170)。
【０１４４】
そして、実行可能ファイルの実行後、５分以内にコピーファイルの実行要求があった場合には、そのファイルの実行が終了した時刻をクロック25から読み出し、この時間を先のシステムメモリー23に上書きして再度記憶し、ステップＳ155〜Ｓ162までの処理を実行する。
このように本実施例では、一定間隔の間に使用可能な機能が何も実行されなければ、自動的に実行禁止設定を解除しているため、実行可能なファイルが実行される毎に実行禁止の再設定を行なう必要がなく、一定時間の間に禁止されていないファイルを実行すれば、複数のファイルを連続して実行させることができる。
【０１４５】
次に、図17に示される複合ファクシミリ装置が本発明に係る複合ファクシミリ装置である場合の一実施例を説明する。
本実施例では、システム制御部26は、特定の曜日および時間帯に応じて禁止設定手段を作動させる第１作動手段と、特定の曜日および時間帯に応じて該禁止設定手段によって設定された機能以外の機能を作動させる第２作動手段と、特定の曜日および時間帯になると、第１作動手段および第２作動手段をその特定の曜日および時間帯に応じて切換作動させる制御手段と、を構成している。
【０１４６】
次に、図26のフローチャートに基づいて作用を説明する。なお、図25はシステム制御部26で実行される処理のフローチャートである。
まず、オペレータが操作／表示部24から設定開始曜日が入力されたときに、該設定開始曜日をセットし(ステッＳ181)、操作／表示部24から設定開始時間および禁止ファイルの入力が入力されたときに、該設定開始時間および禁止ファイルをセットする(ステップＳ182)。
【０１４７】
次いで、オペレータが操作／表示部24から設定解除時間と禁止ファイルをセットしたときに、該設定解除時間と禁止ファイルをセットする(ステップＳ183)。なお、これら入力情報はシステムメモリー23に記憶される。
ここで、例えば、金曜日の始業時間には全てのファイルを実行して終業時間には受信以外の実行を禁止したい場合を考えると、この場合には、ステップＳ181、Ｓ182において金曜日、８時30分に設定するとともに図20に示すファイルリストビットマップの全てをＯＦＦ(実行可)に設定し、ステップＳ183において、17時30分、に設定するとともに、図20に示すファイルリストビットマップをＯＮ(実行不可)に設定してシステムメモリー23に記憶する。
【０１４８】
次いで、リアルタイムクロック25から現在の曜日と現在時間とを読み出し(ステップＳ184)、その内容をシステムメモリー23に記憶された曜日とを比較する(ステップＳ185)。クロック25から読み出した曜日がシステムメモリー23に記憶された曜日と一致した場合には、クロック25から読み出された時間とシステムメモリー23に記憶された時間とを比較する(ステップＳ186)。  次いで、ステップＳ186でクロック25から読み出した時間がシステムメモリー23に記憶された時間を経過した場合には禁止ファイルリストに設定禁止ファイルをセットする。
【０１４９】
このようにすれば、休日または就業後に例えば、受信以外での使用を禁止したい場合には、その都度該当する曜日の時間帯に実行禁止の設定を行なうのを不要にして、管理者が不在の場合でも自動的に設定を切り替えることができ、曜日および時間帯に応じて自動的に利用機能を占有させることができる。
【０１５０】
【発明の効果】
本発明によれば、ファクシミリ受信中に割込み指令を入力しても、ファクシミリ受信をメモリー受信に切換えることで中断することなく受信でき、同時にコピー動作を行なおうとするときには待つことなく即座にコピー動作が可能となるので、ユーザの仕事の効率を向上させることができる。
【０１５１】
本発明によれば、メモリ受信原稿または管理レポート出力動作中でも割込み指令により即座にコピー動作が可能となるので、ユーザの仕事の効率を向上させることができる。
本発明によれば、割込み指令が入力されたときから割込み指令が解除されるまでの間に着呼があった場合でも入力中の受信をすべてメモリ受信となるので、割込み中のコピー動作が中断されるのを防止することができる。
【０１５２】
本発明によれば、割込み指令が入力されたときから割込み指令が解除されるまでの間にメモリ受信原稿または管理レポート自動出力が常に禁止されるので、割込み中のコピー動作の中断を防止することができる。
本発明によれば、割込みキーの動作設定を任意に、重要度によってユーザが各々設定できるので、例えば即時受信中は割込みキーの機能を禁止することで受信原稿をすぐに確認することができ、仕事の効率の向上を図ることができる。
【０１５３】
本発明によれば、ファイルの順序性を保つことができ、複合ファクシミリ装置の使用性を向上させることができる。
本発明によれば、割込みによって中断されたファイルであることを容易に認知でき、記録出力されたコピー紙等の他のファイルとの区別をつけることができるとともに先に出力された頁と関連をつけることができる。この結果、ファイルの欠落を防止することができる。
【０１５４】
本発明によれば、ファイルの順序性を確実に保持できるとともにファイルが欠落するのを完全に防止することができる。
本発明によれば、即時送信時の割込みとその復帰を容易に行なうことができ、即時送信時の操作性を向上させることができる。
本発明によれば、画情報の蓄積時の割込みとその復帰を容易に行なうことができ、メモリ送信時の操作性を向上させることができる。
【０１５５】
本発明によれば、実行させたい機能を使用するファイルに優先的に装置を割当てて実行させ、複合ファクシミリ装置の利用機能を占有することができる。
本発明によれば、利用者に送信の状態を通知することができる。
本発明によれば、実行禁止設定の解除を忘れたときにでも自動的に実行禁止を解除するようにして、無人で作動する自動受信等に対応することができ、複合ファクシミリ装置の使用性を向上させることができる。
【０１５６】
本発明によれば、実行可能なファイルが実行される毎に実行禁止の再設定を行なうのを不要にして、複数のファイルを連続して実行させることができる。
本発明によれば、管理者が不在の場合でも自動的に設定を切り替えることができ、曜日および時間帯に応じて自動的に利用機能を占有することができる。
【図面の簡単な説明】
【図１】本発明に係る複合ファクシミリ装置の一実施例を示すそのブロック図である。
【図２】そのスキャナ、プロッタ、ＣＣＵおよびＤＣＲを示す資源リストを説明する図である。
【図３】その受信データの流れを説明する図である。
【図４】その動作に必要な資源登録テーブルを示す図である。
【図５】その割込み可能動作設定例を示す図である。
【図６】本発明に係る複合ファクシミリ装置の割込み制御動作の一例を示すフローチャートである。
【図７】図６に示されるフローチャートの結合子１に続くフローチャートである。
【図８】図６に示されるフローチャートの結合子２に続くフローチャートである。
【図９】図６に示されるフローチャートの結合子３に続くフローチャートである。
【図１０】本発明に係る複合ファクシミリ装置の割込み制御動作の一例を示すフローチャートである。
【図１１】本発明に係る複合ファクシミリ装置の割込み制御動作の一例を示すフローチャートである。
【図１２】本発明に係る複合ファクシミリ装置の処理の一実施例を示すフローチャートである。
【図１３】本発明に係る複合ファクシミリ装置の処理の一実施例を示すフローチャートである。
【図１４】本発明に係る複合ファクシミリ装置の処理の一実施例を示すフローチャートである。
【図１５】本発明に係る複合ファクシミリ装置の処理の一実施例を示すフローチャートである。
【図１６】本発明に係る複合ファクシミリ装置の処理の一実施例を示すフローチャートである。
【図１７】本発明に係る複合ファクシミリ装置の一実施例を示すそのブロック図である。
【図１８】その操作／表示部の構成図である。
【図１９】本発明に係る複合ファクシミリ装置の処理の一実施例を示すフローチャートである。
【図２０】その資源リストを示す図である。
【図２１】そのファイル管理ブロックを示す図である。
【図２２】ファイル種別を示す図である。
【図２３】本発明に係る複合ファクシミリ装置の処理の一実施例を示すフローチャートである。
【図２４】本発明に係る複合ファクシミリ装置の処理の一実施例を示すフローチャートである。
【図２５】図24に示されるフローチャートの結合子１に続くフローチャートである。
【図２６】本発明に係る複合ファクシミリの処理の一実施例を示すフローチャートである。
【符号の説明】
１、21    ＤＣＲ
２、22    ＳＡＦ
３、23    システムメモリー
４、24    操作部／表示部
５    パターンジェネレータ
６、26    システム制御部
７、27    ラインバッファメモリー
８、28    スキャナ部
８ａ、28ａ    ＡＤＦ
９、29    プロッタ部
９ａ、29ａ    給紙ユニット
10、30    ＣＣＵ
10ａ、30ａ    モデム
10ｂ、30ｂ    ｉＮＣＵ
26    リアルタイムクロック
31    プリンターインターフェース
【図１】
0003662266.tif 000002
【図２】
0003662266.tif 000003
【図３】
0003662266.tif 000004
【図４】
0003662266.tif 000005
【図５】
0003662266.tif 000006
【図６】
0003662266.tif 000007
【図７】
0003662266.tif 000008
【図８】
0003662266.tif 000009
【図９】
0003662266.tif 000010
【図１０】
0003662266.tif 000011
【図１１】
0003662266.tif 000012
【図１２】
0003662266.tif 000013
【図１３】
0003662266.tif 000014
【図１４】
0003662266.tif 000015
【図１５】
0003662266.tif 000016
【図１６】
0003662266.tif 000017
【図１７】
0003662266.tif 000018
【図１８】
0003662266.tif 000019
【図１９】
0003662266.tif 000020
【図２０】
0003662266.tif 000021
【図２１】
0003662266.tif 000022
【図２２】
0003662266.tif 000023
【図２３】
0003662266.tif 000024
【図２４】
0003662266.tif 000025
【図２５】
0003662266.tif 000026
【図２６】
0003662266.tif 000027